(57)【特許請求の範囲】
【請求項１】
連結ブロック装置であって、
回転工具タレット中に取付けるのに提供し、該連結ブロックの軸方向端面に、軸心に対して偏心で平行な階段孔が設置され、該階段孔は大径部と小径部を具え、また該連結ブロックの該小径部に対応する外周縁の位置に斜面が設けられ、該斜面に係合歯部が設けられた、上記連結ブロックと、
該連結ブロックの該階段孔中に挿入され、頭とネジ部を具えた固定ボルトと、
を具えた上記連結ブロック装置において、
該階段孔の該大径部に第１雌ネジが設けられ、且つ該大径部中に固定スリーブが螺合され、該固定スリーブの外周縁に雄ネジが設けられ、該固定スリーブの該雄ネジが該大径部の該第１雌ネジと螺合することで、該固定スリーブが該大径部中に固定され、また該固定スリーブの軸心に第２雌ネジを具えた第２内六角孔が設けられ、該第２内六角孔は貫通孔状とされ、該固定スリーブ中の該第２内六角孔の対辺距離は該固定ボルトの該頭に設けられた第１内六角孔の対角距離よりも大きいことを特徴とする、連結ブロック装置。
【請求項２】
請求項１記載の連結ブロック装置であって、該固定スリーブは無頭ネジ形態とされることを特徴とする、連結ブロック装置。
【請求項３】
請求項１記載の連結ブロック装置であって、該階段孔の大径部と小径部の接続部分に平坦部が設けられ、該固定ボルトの頭が当接させられ、該大径部に該固定ボルトの頭が収容され、該小径部に該固定ボルトのネジ部が通されることを特徴とする、連結ブロック装置。
【発明の詳細な説明】
【技術分野】
【０００１】
本発明は連結装置に係り、特に、深孔中に用いられ、簡単に着脱できる連結ブロック装置である。
【背景技術】
【０００２】
一般に回転工具タレットは、回転工具をスピーディーに交換できるようにするため、図８から図１０に示されるように、回転工具タレット（１０）は複数の第１取付け孔（１２）を具え、各第１取付け孔（１２）に係合歯部（１１１）を具えた工具ホルダ（１１）が取付けられ、且つ該回転工具タレット（１０）の外周縁の、各第１取付け孔（１２）に対応する位置に、該第１取付け孔（１２）と連通する第２取付け孔（１３）が斜めに設けられ、該第２取付け孔（１３）内底部にネジ孔（１３１）が設けられ、並びに該第２取付け孔（１３）中に係合歯部（１４１）を具えた連結ブロック（１４）が設けられ、該連結ブロック（１４）の階段孔（１４２）に固定ボルト（１５）が組み合わされ、固定ボルト（１５）が第２取付け孔（１３）のネジ孔（１３１）中にねじ込まれることで、連結ブロック（１４）の係合歯部（１４１）が工具ホルダ（１１）の係合歯部（１１１）と緊密に係合させられ、これにより、工具ホルダ（１１）が回転工具タレット（１０）の第１取付け孔（１２）中に取り付けられてその脱出が防止され、また、連結ブロック（１４）の階段孔（１４２）中の開口端近くにＣ形スナップリング（１４３）が設けられ、該Ｃ形スナップリング（１４３）により、固定ボルト（１５）の連結ブロック（１４）の階段孔（１４２）からの離脱が防止される。
【０００３】
周知の連結ブロック（１４）を退出或いは交換させたい時は、まず、固定ボルト（１５）を第２取付け孔（１３）のネジ孔（１３１）より退出させなければならない。これにより、固定ボルト（１５）を階段孔（１４２）のＣ形スナップリング（１４３）を押して全体の連結ブロック（１４）を第２取付け孔（１３）の開口に向けて退出させ、並びに連結ブロック（１４）の係合歯部（１４１）を工具ホルダ（１１）の係合歯部（１１１）と分離させ、これにより工具ホルダ（１１）交換の目的を達成する。
【発明の概要】
【発明が解決しようとする課題】
【０００４】
上記従来の技術において、連結ブロック（１４）を交換したい時、図９に示されるように、連結ブロック（１４）と第２取付け孔（１３）の出口までには距離があるため、操作者が直接連結ブロック（１４）を第２取付け孔（１３）より取り出すことは難しい。
【０００５】
いかに連結ブロックを相互に噛み合った状態及び比較的深い第２取付け孔から簡単に取り出せるようにするかが、本発明の解決しようとする問題である。
【０００６】
上述の欠点を克服するため、本発明の主要な目的は、連結ブロックの階段孔中に固定スリーブを螺合し、該固定スリーブの内外のいずれにもネジ山を設け、着脱工具を該固定スリーブ中に螺合させることで、簡単に連結ブロックを連帯して深孔中から取り出し可能とすることにある。
【課題を解決するための手段】
【０００７】
上記目的を達成するため、本発明の連結ブロック装置は、連結ブロックを包含し、該連結ブロックは端面に軸方向に、軸心に対して偏心で平行な階段孔が設置され、該階段孔は大径部と小径部を具え、該大径部と該小径部の接続部分に平坦部が設けられ、頭とネジ部を具えた固定ボルトが該階段孔に通された後に該頭が該平坦部に当接し、該固定ボルトのネジ部は該階段孔外に突出し、また該連結ブロックの該ネジ部に接近する位置の外周壁に斜面が設けられ、該斜面に係合歯部が設けられ、別に該固定ボルトの頭端面に第１内六角孔が設けられ、六角レンチを該第１内六角孔に挿入して該固定ボルトを回すことができる。
【０００８】
本発明の特徴は、該連結ブロックの該階段孔の大径部に第１雌ネジが設けられ、且つ該大径部中に固定スリーブが螺合され、該固定スリーブは無頭ネジ形態とされ、且つ外周に雄ネジが設けられ、該固定スリーブの雄ネジと該大径部の第１雌ネジが螺合され、これにより該固定スリーブが該大径部に螺着され、これにより該固定ボルトの該大径部からの離脱が防止され、また、該固定スリーブの軸心に第２内六角孔が設けられ、該第２内六角孔は貫通孔状とされ、並びに第２雌ネジが設けられ、及び該固定スリーブ中の第２内六角孔の対辺距離は該固定ボルトの頭に設けられた第１内六角孔の対角距離より大きくなければならないことにある。
【発明の効果】
【０００９】
本発明は連結ブロックの階段孔中に固定スリーブを螺合し、該固定スリーブの外周縁に雄ネジを設け、並びに該固定スリーブの中央に、第２雌ネジを具えた第２内六角孔を設け、着脱工具を該固定スリーブの第２雌ネジに螺合させれば、簡単に連結ブロックを回転工具タレットの比較的深い第２取付け孔より取り出すことができる。
【図面の簡単な説明】
【００１０】
【図１】本発明の立体組合せ図である。
【図２】本発明の立体分解図である。
【図３】本発明の断面図である。
【図４】本発明を回転工具タレットに運用した立体表示図である。
【図５】本発明を回転工具タレットに運用した部分平面断面図である。
【図６】本発明の連結ブロックを緩めて退出させる動作表示図である。
【図７】本発明の連結ブロックの取り出し動作表示図である。
【図８】本発明の回転工具タレットと工具ホルダの結合表示図である。
【図９】周知の連結ブロックの回転工具タレットにおける運用表示図である。
【図１０】周知の連結ブロックの取り出し動作表示図である。
【発明を実施するための形態】
【００１１】
本発明の技術内容、構造特徴、達成する目的を詳細に説明するため、以下に実施例を挙げ並びに図面を組み合わせて説明する。
【００１２】
図１から図７に示されるように、回転工具タレット（１０）は複数の第１取付け孔（１２）を具え、各第１取付け孔（１２）に、係合歯部（１１１）を具えた工具ホルダ（１１）が取付けられ、且つ該回転工具タレット（１０）の外周縁の各該第１取付け孔（１２）に対応する位置に、該第１取付け孔（１２）に連通する第２取付け孔（１３）が斜めに凹設されている。
【００１３】
該回転工具タレット（１０）の第２取付け孔（１３）中に取り付けられる連結ブロック（２０）は、端面に軸方向に軸心に対し偏心で且つ平行な階段孔が設けられ、該階段孔は大径部（２１）と小径部（２２）を具え、該大径部（２１）と該小径部（２２）の接続部分に平坦部（２２１）が設けられ、固定ボルト（３０）の頭（３１）の当接に供され、該大径部（２１）は該固定ボルト（３０）の頭（３１）の収容に供され、該小径部（２２）はすなわち、該固定ボルト（３０）の軸方向に該頭（３１）より延伸されたネジ部（３２）の収容と旋回に供され、また、該連結ブロック（２０）の、該小径部（２２）に対応する位置の外周面に斜面が設置され、該斜面に係合歯部（２４）が設けられ、該固定ボルト（３０）のネジ部（３２）は、該連結ブロック（２０）の小径部（２２）の一端より露出し、且つ該固定ボルト（３０）の頭（３１）は平坦部（２２１）に位置制限され、また、固定ボルト（３０）の頭（３１）の端面に第１内六角孔（３１１）が設けられて、六角レンチ（７０）を挿入して回すのに供される。
【００１４】
該階段孔の大径部（２１）中に第１雌ネジ（２１１）が設けられ、且つ該大径部（２１）中に固定スリーブ（４０）が螺合され、該固定スリーブ（４０）は無頭ネジ形態とされ、且つ外周縁に雄ネジ（４１）が設けられ、固定スリーブ（４０）の雄ネジ（４１）と大径部（２１）の第１雌ネジ（２１１）が螺合することにより、固定スリーブ（４０）が第１雌ネジ（２１１）中に固定され、且つ固定ボルト（３０）の大径部（２１）からの離脱が防止される。また、該固定スリーブ（４０）の軸心に第２内六角孔（４３）が設けられ、該第２内六角孔（４３）は貫通孔状とされて、六角レンチ（図示せず）が通されて固定ボルト（３０）を回すのに供され、また、該第２内六角孔（４３）に第２雌ネジ（４２）が設けられ、また該固定スリーブ（４０）の該第２内六角孔（４３）の対辺距離は、固定ボルト（３０）の頭（３１）中の第１内六角孔（３１１）の対角距離より大きくなければならない。
【００１５】
続いて、図１から図４、及び図５から図７を合わせて参照されたい。上述の部品で構成された本発明の構造を利用し、まず、固定ボルト（３０）を階段孔中に置き、且つ固定ボルト（３０）のネジ部（３２）を連結ブロック（２０）の一端より露出させ、並びに固定スリーブ（４０）を大径部（２１）中に螺合し、固定ボルト（３０）の大径部（２１）からの離脱を防止できる。
【００１６】
さらに、連結ブロック（２０）を回転工具タレット（１０）の第２取付け孔（１３）中に挿入し、並びに六角レンチ（７０）を固定スリーブ（４０）に通して、固定ボルト（３０）の第１内六角孔（３１１）に挿入して固定ボルト（３０）を締め、連結ブロック（２０）の係合歯部（２４）と工具ホルダ（１１）の係合歯部（１１１）を相互に緊密に噛み合わせ、これにより、工具ホルダ（１１）を回転工具タレット（１０）の第１取付け孔（１２）中にしっかりと固定する。
【００１７】
最後に、別の六角レンチ（図示せず）を固定スリーブ（４０）の第２内六角孔（４３）中に挿入してまわし、固定スリーブ（４０）を大径部（２１）中に固定し、同時に、固定ボルト（３０）の大径部（２１）からの離脱を防止する。
【００１８】
連結ブロック（２０）を緩めるか或いは取り出したい時は、図６に示されるように、まず六角レンチ（７０）を固定ボルト（３０）の第１内六角孔（３１１）に挿入してまわし、固定ボルト（３０）を緩め、並びに固定ボルト（３０）の頭（３１）で固定スリーブ（４０）を押し、連結ブロック（２０）の係合歯部（２４）と工具ホルダ（１１）の係合歯部（１１１）を相互に分離させるが、連結ブロック（２０）を取り出す時、一般の固定ボルト（３０）のネジ部（３２）をネジ部（３２）をネジ孔（１３１）より取り外す行程は、同時に連結ブロック（２０）を第２取付け孔（１３）より押し出すのには不足するために、操作者が単純に第２取付け孔（１３）より連結ブロック（２０）を取り出すのは難しい。本発明の構造は、この問題を克服するため、ただ、雄ネジ（６１）を具えた着脱工具（６０）を、まず固定スリーブ（４０）の第２雌ネジ（４２）に螺合し（図７のとおり）、簡単に連結ブロック（２０）を第２取付け孔（１３）の深い位置から取り出すことができる。
【００１９】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００２０】
１０  回転工具タレット
１１１  係合歯部
１１  工具ホルダ
１２  第１取付け孔
１３  第２取付け孔
１３１  ネジ孔
１４  連結ブロック
１４１  係合歯部
１４２  階段孔
１４３  Ｃ形スナップリング
１５  固定ボルト
２０  連結ブロック
２１  大径部
２１１  第１雌ネジ
２２  小径部
２２１  平坦部
２４  係合歯部
３０  固定ボルト
３１  頭
３１１  第１内六角孔
３２  ネジ部
４０  固定スリーブ
４１  雄ネジ
４２  第２雌ネジ
４３  第２内六角孔
６１  雄ネジ
６０  着脱工具
７０  六角レンチ
【要約】
【課題】連結ブロック装置の提供。
【解決手段】連結ブロック装置において、各該工具ホルダに連結装置が組み合わされ、該連結装置は連結ブロックを包含し、該連結ブロックの端面に軸方向に階段孔が設けられ、該連結ブロックの該階段孔の位置の外周壁に噛歯部が設けられ、該連結ブロックの該階段孔中に固定ボルトが設置され、その特徴は、該階段孔中に固定スリーブが螺合され、該固定スリーブの中央に、雌ねじを具えた第２内六角孔が設けられ、着脱工具を該固定スリーブの該第２内六角孔中に組み合わせて簡単に該連結ブロックを回転工具タレットより取り出すことができる。
【選択図】図２【図１】
0005272087.tif 000002
【図２】
0005272087.tif 000003
【図３】
0005272087.tif 000004
【図４】
0005272087.tif 000005
【図５】
0005272087.tif 000006
【図６】
0005272087.tif 000007
【図７】
0005272087.tif 000008
【図８】
0005272087.tif 000009
【図９】
0005272087.tif 000010
【図１０】
0005272087.tif 000011